(57)【要約】【課題】広い範囲から送信信号を受信することが可能なリモコン受信装置を提供する。【解決手段】リモコン受信部９０は、遠隔制御を行うための信号光（送信信号）を受信部９３１より受信するリモコン受信回路９３と、前記信号光を屈折作用により受信部９３１に向かわせる導光部材９１と、導光部材９１から出た受信部９３１に向かわない前記信号光を反射して受信部９３１へと向かわせる反射部材９２とを備えている。反射部材９２は、環状に形成された反射面９２ａを有している。【選択図】図９
2010063039.tif 000002
【特許請求の範囲】
【請求項１】
遠隔制御を行うための送信信号を受信部より受信するリモコン受信手段と、
前記送信信号を屈折作用により前記受信部に向かわせる誘導手段と、
前記誘導手段から出た前記受信部に向かわない前記送信信号を反射して前記受信部へと向かわせる反射手段と、
を備えたことを特徴とするリモコン受信装置。
【請求項２】
請求項１において、
前記反射手段は、環状に形成された反射面を有する、
ことを特徴とするリモコン受信装置。
【請求項３】
請求項２において、
前記反射面が前記誘導手段の周囲を囲むように前記反射手段が配されている、
ことを特徴とするリモコン受信装置。
【請求項４】
請求項２または３において、
前記反射面が前記受光部の周囲を囲むように前記反射手段が配されている、
ことを特徴とするリモコン受信装置。
【請求項５】
請求項１ないし４の何れか一項に記載のリモコン受信装置を備えたことを特徴とする投写型表示装置。
【発明の詳細な説明】
【技術分野】
【０００１】
本発明は、遠隔制御のための送信信号を受信するリモコン受信装置に関する。また、本発明は、リモコン受信装置を備えた投写型表示装置に関する。
【背景技術】
【０００２】
現在、液晶パネル等に描画された画像を被投写面（スクリーン等）上に拡大投写する投写型表示装置（以下、「プロジェクタ」という）が商品化され広く普及している。この種のプロジェクタには、通常、リモコン受信装置が備えられており、リモコン送信機からの送信信号（たとえば、赤外光線による信号光）によって遠隔操作が可能となっている。遠隔操作が可能なプロジェクタの一例が、たとえば、特許文献１に記載されており、プロジェクタ等、電気機器に搭載可能なリモコン受信装置の一例が、たとえば、特許文献２に記載されている。
【特許文献１】特開２００５−１４８５９５号公報
【特許文献２】特開２００６−１７９７６７号公報
【発明の開示】
【発明が解決しようとする課題】
【０００３】
プロジェクタが床面や机上に設置された場合には、装置の前後左右から遠隔操作を受けることが想定される。一方、リモコン受信装置には受信有効角度が規定されており、この受信有効角度内の方向からでないと、送信信号を適正に受信できない。ところが、この受信有効角度は十分に広いものではなかった。このため、プロジェクタでは、広い範囲からの送信信号を受信するために、複数個のリモコン受信装置を配する必要があり、コストの上昇や構造の複雑化を招く惧れがあった。
【０００４】
本発明は、かかる問題を解消するためになされたものであり、広い範囲からの送信信号を受信することが可能なリモコン受信装置、および当該リモコン受信装置を備えることにより円滑な遠隔制御が可能な投写型表示装置を提供することを目的とする。
【課題を解決するための手段】
【０００５】
本発明の第１の態様に係るリモコン受信装置は、遠隔制御を行うための送信信号を受信部より受信するリモコン受信手段と、前記送信信号を屈折作用により前記受信部に向かわせる誘導手段と、前記誘導手段から出た前記受信部に向かわない前記送信信号を反射して前記受信部へと向かわせる反射手段とを備えたことを特徴とする。
【０００６】
リモコン受信手段の受信部に垂直な方向（受信部の正面方向）に対する送信信号の進入角度が比較的小さな場合には、誘導手段に入ってきた送信信号は、屈折作用を受けて誘導手段内を受信部へ向かう方向へと進み、誘導手段を出て受信部に受信される。
【０００７】
一方、上記進入角度が大きくなると、誘導手段に入ってきた送信信号は、屈折作用を受けても受信部へ向かうまで屈折せず、受信部から外れた方向へ向かって誘導手段から出る。しかし、誘導手段から出た送信信号は、反射手段で反射されて受信部へと向かい受信部に受信される。
【０００８】
このように、この構成によれば、誘導手段によってリモコン受信手段（受信部）に導くことができない進入角度からの送信信号を、反射手段によってリモコン受信手段へと導くことができるので、広範囲からの送信信号の受信が可能となる。
【０００９】
なお、前記反射手段は、環状に形成された反射面を有する構成とすることが望ましい。このような構成とすれば、送信信号が誘導手段から周囲の何れの方向に出ても、反射面によって受信部側に送信信号を反射させることができる。なお、反射面は、実質的に環状であればよく、全周に亘って連続しておらず一部が途切れていても良い。
【００１０】
また、このとき、前記反射面が前記誘導手段の周囲を囲むように前記反射手段が配されれば、誘導手段から出た送信信号を確実に反射面で反射させることができる。
【００１１】
さらに、このとき、前記反射面が前記受光部の周囲を囲むように前記反射手段が配されれば、反射手段で反射した送信信号を確実に受信部で受信させることができる。
【００１２】
本発明の第２の態様に係る投写型表示装置は、上記第１の態様に係るリモコン受信装置を備えたことを特徴とする。
【００１３】
この構成によれば、上記第１の態様と同様、リモコン受信装置によって広範囲からの送信信号の受信が可能となるので、遠隔制御を円滑に行うことが可能となる。
【発明の効果】
【００１４】
以上のとおり本発明によれば、広い範囲からの送信信号を受信することが可能なリモコン受信装置を提供することができる。また、このようなリモコン受信装置を備えることにより円滑な遠隔制御が可能な投写型表示装置を提供することができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものによって何ら制限されるものではない。
【発明を実施するための最良の形態】
【００１６】
以下、図面を参照して、実施の形態に係るリモコン受信部が適用されたプロジェクタの構成を説明する。
【００１７】
図１は、プロジェクタの概観を示す斜視図である。
【００１８】
プロジェクタの外部キャビネット１は、第１キャビネット１ａと、第１キャビネット１から側方に飛び出した第２キャビネット１ｂからなっている。第１キャビネット１ａの前面側には、映像信号によって変調された光を投写するための窓２が配されており、窓２の近傍（第１キャビネット１ａの上面）から、リモコン受信部９０が外部に臨んでいる。また、第１キャビネット１ａの右側面からは、ＡＶ端子部５０の各端子およびＡＣインレット６０が外部に臨んでおり、さらに、投写画像のフォーカス調整を行うためのツマミ２２が、Ｚ軸方向に変位可能に配されている。
【００１９】
なお、ＡＶ端子部５０には、アラーム操作入力用の操作ボタン部５１が含まれている。また、第２キャビネット１ｂからは、バッテリ残量の低下を報知するためのＬＥＤ４５１が外部に臨んでいる。
【００２０】
プロジェクタを床等の載置面に載置する場合には、アダプタが用いられる。
【００２１】
図２は、アダプタの構成および装着方法を説明する図である。同図（ａ）は、アダプタとしてスタンド３を用いる場合を示し、同図（ｂ）は、アダプタとしてアーム部材５を用いる場合を示す。
【００２２】
図２（ａ）を参照して、スタンド３は、第１キャビネット１ａと第２キャビネット１ｂの底面に装着される。すなわち、第１キャビネット１ａと第２キャビネット１ｂの底面をスタンド３の上面に載せた状態で、ネジ４によってスタンド３を第１キャビネット１ａにネジ止めする。
【００２３】
図３（ａ）、（ｂ）は、それぞれ、スタンド３を装着したときのプロジェクタの使用状態を示す右側面図および裏面図である。この場合、映像信号によって変調された光は、プロジェクタが載置される面（載置面）に投写される。
【００２４】
図２（ｂ）を参照して、アーム部材５は、第１キャビネット１ａと第２キャビネット１ｂの裏面に装着される。すなわち、第１キャビネット１ａと第２キャビネット１ｂの裏面に配されたネジ孔にアーム部材５の孔を合わせた状態で、ネジ６によってアーム部材５を第１キャビネット１ａにネジ止めする。
【００２５】
図４は、アーム部材５を装着したときのプロジェクタの使用状態を示す右側面図である。この場合、映像信号によって変調された光は、プロジェクタが載置される面（載置面）とは異なる面（壁やスクリーン等）に投写される。なお、アーム部材５に配された調節ネジ５ａを回すことにより、光の投写方向を微調節することができ、被投写面に対する画像の投写状態を調節することができる。
【００２６】
図５および図６は、外部キャビネット１を省略した状態のプロジェクタの構成を示す外観斜視図および上面図である。なお、図６には、メイン基板４０が取り外された状態が示されている。
【００２７】
図５および図６を参照して、プロジェクタは、光学エンジン１０と、投写光学系２０と、電源ユニット３０と、メイン基板４０と、ＡＶ端子部５０と、ＡＣインレット６０を備えている。なお、８０ａは前面側キャビネットからのボス、８０ｂは裏面側キャビネットからのボス、８０ｃは振動吸収用のブッシュである。
【００２８】
投写光学系２０は、鍔部がブッシュ８０ｃを介してボス８０ａ、８０ｂ間に挟持されることによりキャビネット内に装着される。このように、投写光学系２０は、振動吸収用のブッシュ８０ｃを介して挟持されているため、外部キャビネット１からの衝撃が投写光学系２０に伝わり難くなっている。また、投写光学系２０は、振動吸収用のブッシュ８０ｃを介して前面側キャビネットからのボス８０ａおよび裏面側キャビネットからのボス８０ｂにより支持されているため、支持強度が向上している。
【００２９】
投写光学系２０の投写レンズ部分からは、図６に示す如く、フォーカス調整用のレバー２１が突出されている。このレバー２１をＸ−Ｚ平面の面内方向に回動させることにより投写画像のフォーカスが調節される。フォーカスレバー２１の先端に上記フォーカス調整用のツマミ２２が装着され、このツマミ２２が、第１キャビネット１ａの右側面から外部に臨んでいる（図４参照）。
【００３０】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図７に示すように、光源１０１は、Ｘ軸方向に光を照射するよう配置され、投写光学系２０は光軸がＹ軸方向となるよう配置されている。
【００３１】
電源ユニット３０は、光源１０１およびメイン基板４０に電源を供給する。電源ユニット３０には、ＡＣインレット６０を介してＡＣ電圧が入力される。メイン基板４０は、プロジェクタを駆動および制御するための回路である。図５に示す如く、メイン基板４０を保持する回路基板は、光学エンジン１０の一部を覆うようにして配置されている。また、メイン基板４０には、ＡＶ端子部５０を介してＡＶ（Audio Visual）信号が入力される。また、ＡＶ端子部５０には、上記の如く、アラーム操作入力用の操作ボタン部５１が含まれている。
【００３２】
光学エンジン１０の裏面側には３つの吸気ファン７１が配されている。これら吸気ファン７１によって吸気されたエアーは、光学エンジン１０の左側面側に配された排気ファン７２および背面側に配された排気ファン７２によって排気される。このように吸気ファン７１と排気ファン７２を配置することにより、吸気ファン７１によって吸気されたエアーは、光学エンジン１０の光学系、光源１０１および電源ユニット３０を通過するよう流れる。また、吸気されたエアーは、ダクト７３を介して光源１０１の側面に導かれ、光源１０１の側面から排気ファン７２に向かって流れる。かかるエアーの流れによって、これら部材に発生する熱が取り除かれる。
【００３３】
次に、図７および図８を参照して、上記リモコン受信部９０の構成について説明する。リモコン受信部９０は、図示しないリモコン送信機から送られてくる赤外光線による信号光（送信信号）を受信して、これに応じた信号をメイン基板４０へ出力する。ユーザは、リモコン送信機を操作することにより、プロジェクタの遠隔制御を行うことができる。
【００３４】
図７は、第１キャビネット１ａの裏側に取り付けられる前のリモコン受信部９０の分解斜視図である。また、図８は、リモコン受信部９０の構成を示す図であり、同図（ａ）は、リモコン受信部９０を正面側から見た分解斜視図、同図（ｂ）は、リモコン受信部９０を第１キャビネット１ａに取り付けた状態での同図（ａ）のＡ―Ａ´断面図である。
【００３５】
図７に示すように、第１キャビネット１ａには、受光窓１１１が形成されている。この受光窓１１１の周りには、リモコン受信部９０を第１キャビネット１ａに取り付けるために、一対のリブ１１２と、取付ボス１１３と、ピン１１４が形成されている。なお、リブ１１２の先端部には爪が形成されている。
【００３６】
図７および図８を参照して、リモコン受信部９０は、導光部材９１と、反射部材９２と、リモコン受信回路９３と、受信基板９４とを備えている。
【００３７】
導光部材９１は、導光部９１１と、導光部９１１を支持する２つの脚部９１２により構成されている。導光部材９１は、屈折率が高い材料、たとえば、アクリル材料により形成されている。
【００３８】
導光部９１１は略円筒形状を有し、先端部には段差部９１１ａが形成され、その段差部９１１ａにより、先端部の外径が一段小さくされている。また、導光部９１１の先端面９１１ｂは、球面形状となるように形成されている。導光部９１１の先端部裏面には、略円柱形の誘導部９１１ｃがリモコン受信回路９３側に突出するように形成されており、この誘導部９１１ｃの周りには、反射部材９２がはめ込まれる凹部９１１ｄが形成されている（図８（ｂ）参照）。
【００３９】
脚部９１２は、導光部９１１の両側に設けられている。各脚部９１２には、四角形の開口部９１２ａが形成されている。
【００４０】
反射部材９２は、円環状（円筒状）を有し、その内面（反射面）９２ａにて信号光が反射できるよう、反射性に富む材料、たとえば、アルミ材料により形成されている。なお、反射性能を上げるために、反射部材９２の内面９２ａに鏡面加工を施すこともできる。
【００４１】
リモコン受信回路９３は、受信基板９４に実装されており、その上面には、信号光を受信するため、球面形状の受信部９３１が配されている。リモコン受信回路９３は、受光部９３１に垂直な方向に対して所定の受信有効角度（たとえば、±３０度）を有し、それを超える角度からの信号光に対しては受光効率が大きく低下する。
【００４２】
受信基板９４には、一対の角孔９４１と、ネジ孔９４２と、丸孔９４３が形成されている。なお、受信基板９４には、リモコン受信回路９３の他、その周辺回路部品９４４が実装されている。
【００４３】
図８（ｂ）示すように、導光部材９１、反射部材９２、およびリモコン受信回路９３が実装された受信基板９４は、第１キャビネット１ａに取り付けられることにより、リモコン受信部９０として一体化される。
【００４４】
リモコン受信部９０を、第１キャビネット１ａに取り付ける際には、たとえば、導光部材９１の凹部９１１ｃに反射部材９２をはめ込んだ後、導光部９１１を窓部１１１にはめ込む。なお、このとき、脚部９１２の開口部９１２ａにリブ１１２が通される。
【００４５】
次に、受信基板９４を導光部材９１の後方に取り付ける。このとき、丸孔９４３をピン９４３に挿入するとともに角孔９４１をリブ１１２に押し込む。これにより、リブ１１２の爪が角孔９４１の縁部に係合し、受信基板９４が抜けなくなる。
【００４６】
さらに、このとき、ネジ孔９４２が取付ボス１１３に整合する。よって、最後に、図示しないネジを用いて受信基板９４を取付ボス１１３にネジ止めする。
【００４７】
こうして、リモコン受信部９０が第１キャビネット１ａに取り付けられた状態、即ち、リモコン受信部９０が組み立てられた状態では、導光部９１１の先端面９１１ｂが第１キャビネット１ａから外部に露出している。また、導光部９１１と受信部９３１の中心がほぼ一致するとともに、誘導部９１１ｃの先端面と受信部９３１とがわずかな隙間を有して対向している。さらに、誘導部９１１ｃの周囲と受信部９３１の周囲が、反射部材９２の内面（反射面）９２ａによって取り囲まれている。
【００４８】
次に、リモコン受信部９０における信号光の受信形態について、図９を参照して説明する。
【００４９】
リモコン受光部９０は、キャビネット１ａの上面に配されているため、たとえば、プロジェクタを床や机上に設置した場合、リモコン受光部９０には、プロジェクタの前後左右方向から信号光が入射され得る。この場合、プロジェクタが低い位置に設置されており、プロジェクタに対して比較的高い位置から信号光が発信された場合には、図９に示す受信部９３１に垂直な方向Ｐに対する信号光の進入角度αは比較的小さなものとなる。
【００５０】
進入角度αが所定角度範囲（たとえば、±６０度）より小さい場合には、図９の破線矢印に示すように、導光部９１１に侵入した信号光は、上記垂直方向Ｐに対する角度が十分小さくなるように屈折し、誘導部９１１ｃ内を受信部９３１へ向かうように伝搬する。そして、誘導部９１１ｃの先端面から出て受信部９３１に受信される。
【００５１】
一方、プロジェクタが高い位置に設置されており、プロジェクタに対してあまり高くない位置から信号光が発信された場合には、上記垂直方向Ｐに対する信号光の進入角度αは大きなものとなる。
【００５２】
進入角度αが上記所定角度範囲より大きくなった場合には、図９の実線矢印で示すように、導光部９１１に侵入した信号光は、上記と同様に屈折するが、上記垂直方向Ｐに対する角度が十分に小さくなるまでは屈折されない。この結果、信号光は、誘導部９１１ｃ内を受信部９３１に向かうように伝搬されずに、誘導部９１１ｃの外周面から受信部９３１とは外れた方向に出る。しかし、この場合にも、誘導部９１１ｃから出た信号光は、反射部材９２の内面９２ａに当たって反射され、受信部９３１へと向かい、受信部９３１に受信される。
【００５３】
以上のように、本実施の形態によれば、導光部材９１によってリモコン受信回路９３（受信部９３１）に直接導くことができない進入角度αが大きな信号光を、反射部材９２によってリモコン受信回路９３へと導くことができるので、広範囲からの送信信号の受信が可能となる。よって、プロジェクタの遠隔制御を円滑に行うことが可能となる。
【００５４】
また、本実施の形態によれば、誘導部９１１ｃの周囲と受信部９３１の周囲が、反射部材９２の内面（反射面）９２ａによって取り囲まれる構成とされているので、導光部材９１から出た信号光を反射部材９２で確実に反射させることができるとともに、反射部材９２で反射された信号光を確実にリモコン受信回路９３で受信させることができる。
【００５５】
さらに、本実施の形態によれば、リモコン受信回路９３の受信有効角度を特別大きくする必要がないので、リモコン受信回路９３は汎用部品を使用することができる。
【００５６】
本発明は、上記実施の形態に何ら限定されるものではなく、また、本発明の実施形態も、上記以外に種々の変更が可能である。
【００５７】
たとえば、上記実施の形態では、反射部材９２を、アルミ材料（反射性に富む材料）のみで形成するようにしているが、これに限らず、たとえば、図１０（ａ）に示すように、プラスチック成型品等、反射性の劣る材料で環状体９２１を形成し、この環状体９２１の内面にアルミ膜などを蒸着するなどして反射面９２２を形成する構成としても良い。さらに、同図（ｂ）に示すように、同図（ａ）の環状体９２１を導光部９１と一体形成し、その内面にアルミ膜などを蒸着するなどして反射面９２２を形成する構成としても良い。
【００５８】
また、反射部材９２は、環状であることが望ましいが、上記実施の形態のように必ずしも円筒状でなくても良く、リモコン受信回路９３での受信性能に支障をきたさない限りにおいては、他の形状、たとえば、筒状の円錐形状（リモコン受信回路９３に向かって内面が徐々に広がる形状またはリモコン受信回路９３に向かって内面が徐々に狭まる形状）とすることも可能である。
【００５９】
さらに、本発明のリモコン受信装置をプロジェクタに適用した実施形態について説明したが、これに限らず、本発明のリモコン受信装置を他の電気機器に適用することもできる。
【００６０】
この他、本発明の実施形態は、特許請求の範囲にされた範囲において適宜変更可能である。
【図面の簡単な説明】
【００６１】
【図１】実施の形態に係るプロジェクタの外観構成を示す図（斜視図）
【図２】実施の形態に係るアダプタとアダプタの設置方法を説明する図
【図３】実施の形態に係るプロジェクタの使用形態を示す図
【図４】実施の形態に係るプロジェクタの使用形態を示す図
【図５】実施の形態に係るプロジェクタの内部構成を示す図（斜視）
【図６】実施の形態に係るプロジェクタの内部構成を示す図（上面図）
【図７】実施の形態に係る第１キャビネットの裏側に取り付けられる前のリモコン受信部の分解斜視図
【図８】実施の形態に係るリモコン受信部の構成を示す図
【図９】実施の形態に係るリモコン受信部における信号光の受信形態について説明するための図
【図１０】実施の形態に係るリモコン受信部の変更例を示す図
【符号の説明】
【００６２】
９１    導光部材（誘導手段）
９２    反射部材（反射手段）
９２ａ  内面（反射面）
９３    リモコン受信回路（リモコン受信手段）
【図１】
2010063039.tif 000003
【図２】
2010063039.tif 000004
【図３】
2010063039.tif 000005
【図４】
2010063039.tif 000006
【図５】
2010063039.tif 000007
【図６】
2010063039.tif 000008
【図７】
2010063039.tif 000009
【図８】
2010063039.tif 000010
【図９】
2010063039.tif 000011
【図１０】
2010063039.tif 000012